(57)【要約】【解決手段】枠体Ｂの少なくとも左右の縦枠ｂ１，ｂ１に取り付け得る左右一対の固定ガイド部材２，２と、この左右一対の固定ガイド部材２，２の少なくとも一方に長手方向の一端側が枢支された支持アーム３と、この支持アーム３の他端側が枢支されていて欄間パネルＤを支持するための支持部材４，４とからなる。前記支持部材４，４には、１枚の欄間パネルＤの両側面を固定する。前記左右の縦枠ｂ１，ｂ１に仮固定された上下２つのビス５，５に、左右一対の固定ガイド部材２，２に形成されている上下２つの係合溝８，８を係合させると、家屋内の躯体Ａに設置される枠体Ｂの左右の縦枠ｂ１，ｂ１に、欄間パネルＤを有する左右一対の固定ガイド部材２，２を仮固定（仮止め）できる。【効果】一人ででも、高いところでの欄間パネルＤの取付作業を極めて容易に行うことができる。【選択図】図４
2012036581.tif 000002
【特許請求の範囲】
【請求項１】
建物内の枠体内に設けられるドアなどの建具の上方において、前記枠体内に欄間パネルを開閉可能に配置させるために用いる金具であって、少なくとも、前記枠体の少なくとも左右の縦枠に取り付け得る一対の固定ガイド部材と、この一対の固定ガイド部材に軸支されていて前記欄間パネルを支持するための支持部材とからなり、前記支持部材に前記欄間パネルを取り付けた後の前記一対の固定ガイド部材を、少なくとも前記左右の縦枠に仮固定させるための仮止め手段を設けたことを特徴とする欄間パネル用金具。
【請求項２】
建物内の枠体内に設けられるドアなどの建具の上方において、前記枠体内に欄間パネルを開閉可能に配置させるために用いる金具であって、少なくとも、前記枠体の少なくとも左右の縦枠に取り付け得る一対の固定ガイド部材と、この一対の固定ガイド部材に軸支されていて前記欄間パネルを支持するための支持部材とからなり、少なくとも前記左右の縦枠に前記一対の固定ガイド部材を取り付けた後の前記支持部材に、前記欄間パネルを仮固定させるための仮止め手段を設けたことを特徴とする欄間パネル用金具。
【請求項３】
一対の固定ガイド部材を枠体の少なくとも左右の縦枠に位置固定するための手段をさらに備えていることを特徴とする請求項１又は２記載の欄間パネル用金具。
【請求項４】
建物内の枠体内に設けられるドアなどの建具の上方において、一対の固定ガイド部材に軸支されている支持部材に欄間パネルを取り付け、この一対の固定ガイド部材を仮止め手段により前記枠体の少なくとも左右の縦枠に仮固定し、仮固定後の前記一対の固定ガイド部材を少なくとも前記左右の縦枠に本固定したことを特徴とする欄間パネル構造。
【請求項５】
建物内の枠体内に設けられるドアなどの建具の上方において、前記枠体の少なくとも左右の縦枠に一対の固定ガイド部材を取り付け、この一対の固定ガイド部材に軸支されている支持部材に、仮止め手段により欄間パネルを仮固定し、仮固定後の前記欄間パネルと前記支持部材とを本固定したことを特徴とする欄間パネル構造。
【請求項６】
建物内の枠体内に設けられるドアなどの建具の上方において、一対の固定ガイド部材に軸支されている支持部材に欄間パネルを取り付け、この一対の固定ガイド部材を前記枠体の少なくとも左右の縦枠に仮固定し、しかる後、仮固定された前記一対の固定ガイド部材を少なくとも前記左右の縦枠に本固定することにより、欄間パネルを欄間に取り付ける方法。
【請求項７】
建物内の枠体内に設けられるドアなどの建具の上方において、前記枠体の少なくとも左右の縦枠に一対の固定ガイド部材を取り付け、この一対の固定ガイド部材に軸支されている支持部材に欄間パネルを仮固定し、しかる後、仮固定後の前記欄間パネルと前記支持部材とを本固定することにより、欄間パネルを欄間に取り付ける方法。
【発明の詳細な説明】
【技術分野】
【０００１】
本発明は、建物内の枠体内に開閉可能に設けられるドアなどの建具の上方において、前記枠体内に欄間パネルを開閉可能に配置させるために用いる金具及びこの金具により欄間に取り付けられた欄間パネル構造、ならびに、この欄間パネルを欄間に取り付ける方法に関するものである。
【背景技術】
【０００２】
建物内の枠体内に開閉可能に設けられるドアの上方において、前記枠体内に欄間パネルを開閉可能に配置した技術が、すでに提案されている（例えば、特許文献１参照）。
【先行技術文献】
【特許文献】
【０００３】
【特許文献１】登録実用新案第３０７０８１８号公報
【発明の概要】
【発明が解決しようとする課題】
【０００４】
この欄間パネルはかなりの幅と重さとを有しており、しかも、前記ドアの上方の高いところに配置しなければならないから、その取付作業が極めて厄介である。通常、取付金具を介して前記枠体に取り付けられるが、従来の場合には、上記の理由から一人では到底施工できず、二人以上での作業になっていた。
【０００５】
この欠点を解消するために鋭意研究を重ねた結果、前記取付作業中において、前記枠体と欄間パネルとそれを前記枠体に取り付けるための取付金具とのいずれかを、他の部材に対して一旦仮止めすることができれば、一人ででも前記取付作業を極めて容易に行うことができることを見出し、本発明を完成させるに至った。
【課題を解決するための手段】
【０００６】
すなわち、本発明による欄間パネル用金具は、建物内の枠体内に開閉可能に設けられるドアなどの建具の上方において、前記枠体内に欄間パネルを開閉可能に配置させるために用いる金具であって、少なくとも、前記枠体の少なくとも左右の縦枠に取り付け得る一対の固定ガイド部材と、この一対の固定ガイド部材に軸支されていて前記欄間パネルを支持するための支持部材とからなるものであって、前記支持部材に前記欄間パネルを取り付けた後の前記一対の固定ガイド部材を、少なくとも前記左右の縦枠に仮固定させるための仮止め手段を設けたことを特徴とするものである。
【０００７】
この仮止め手段を設けたことにより、欄間パネルを取り付けた一対の固定ガイド部材を、枠体の少なくとも左右の縦枠に仮固定することができる。この仮固定により、かなりの幅と重さとを有する欄間パネルをずっと持っている必要がなく、一人ででも、高いところでの取付作業を極めて容易に行うことができる。そして、仮固定後の前記一対の固定ガイド部材を前記枠体の少なくとも左右の縦枠に本固定することができる。
【０００８】
また、上記の場合とは異なり、本発明による欄間パネル用金具を次のように構成することにより、上記と同様の効果を達成することができる。すなわち、建物内の枠体内に開閉可能に設けられるドアなどの建具の上方において、前記枠体内に欄間パネルを開閉可能に配置させるために用いる金具であって、少なくとも、前記枠体の少なくとも左右の縦枠に取り付け得る一対の固定ガイド部材と、この一対の固定ガイド部材に軸支されていて前記欄間パネルを支持するための支持部材とからなり、少なくとも前記左右の縦枠に前記一対の固定ガイド部材を取り付けた後の前記支持部材に、前記欄間パネルを仮固定させるための仮止め手段を設ければよい。
【０００９】
すなわち、この仮止め手段を設けたことにより、少なくとも前記左右の縦枠に前記一対の固定ガイド部材を取り付けた後の前記支持部材に、前記欄間パネルを仮固定させることができる。この仮固定により、かなりの幅と重さとを有する欄間パネルをずっと持っている必要がなく、一人ででも、高いところでの取付作業を極めて容易に行うことができる。そして、仮固定後の欄間パネルを有する前記一対の固定ガイド部材を前記枠体の少なくとも左右の縦枠に本固定することができる。
【００１０】
一対の固定ガイド部材を前記枠体の少なくとも左右の縦枠に位置固定するための手段をさらに備えていることが望ましい。このようにした場合には、前記枠体内に開閉可能に設けられるドアの上方における枠体の少なくとも左右の縦枠の正規の位置に、一対の固定ガイド部材を取り付け、最終的な位置の固定を行うことができる。
【００１１】
本発明による欄間パネル構造は、建物内の枠体内に開閉可能に設けられるドアなどの建具の上方において、一対の固定ガイド部材に軸支されている支持部材に欄間パネルを取り付け、この一対の固定ガイド部材を仮止め手段により前記枠体の少なくとも左右の縦枠に仮固定し、仮固定後の前記一対の固定ガイド部材を少なくとも前記左右の縦枠に本固定したことを特徴とするものである。
【００１２】
この仮固定により、かなりの幅と重さとを有する欄間パネルを極めて容易に取り付けることができ、特に、一人ででも、高いところでの取付作業を極めて容易に行うことができるので、工事代が安価で済むだけでなく、安価な欄間パネル構造を容易に提供できる。
【００１３】
また、上記の場合とは異なり、本発明による欄間パネル構造を次のように構成することにより、上記と同様の効果を達成することができる。すなわち、建物内の枠体内に開閉可能に設けられるドアなどの建具の上方において、前記枠体の少なくとも左右の縦枠に一対の固定ガイド部材を取り付け、この一対の固定ガイド部材に軸支されている支持部材に、仮止め手段により前記欄間パネルを仮固定し、仮固定後の前記欄間パネルと前記支持部材とを本固定するとよい。
【００１４】
この欄間パネル構造によれば、この仮固定により、かなりの幅と重さとを有する欄間パネルを極めて容易に取り付けることができ、特に、一人ででも、高いところでの取付作業を極めて容易に行うことができるので、工事代が安価で済むだけでなく、安価な欄間パネル構造を容易に提供できる。
【００１５】
一方、本発明による欄間パネルを欄間に取り付ける方法は、建物内の枠体内に開閉可能に設けられるドアなどの建具の上方において、一対の固定ガイド部材に軸支されている支持部材に欄間パネルを取り付け、この一対の固定ガイド部材を前記枠体の少なくとも左右の縦枠に仮固定し、しかる後、仮固定された前記一対の固定ガイド部材を少なくとも左右の縦枠に本固定することにより、欄間パネルを欄間に取り付けるものである。
【００１６】
この方法により、かなりの幅と重さとを有する欄間パネルを極めて容易に取り付けることができ、特に、一人ででも、高いところでの取付作業を極めて容易に行うことができる。
【００１７】
また、本発明による欄間パネルを欄間に取り付ける別の方法は、建物内の枠体内に開閉可能に設けられるドアなどの建具の上方において、前記枠体の少なくとも左右の縦枠に一対の固定ガイド部材を取り付け、この一対の固定ガイド部材の支持部材に軸支されている支持部材に欄間パネルを仮固定し、しかる後、仮固定後の前記欄間パネルと前記支持部材とを本固定することにより、欄間パネルを欄間に取り付けるものである。
【００１８】
この場合においても、かなりの幅と重さとを有する欄間パネルを極めて容易に取り付けることができ、特に、一人ででも、高いところでの取付作業を極めて容易に行うことができる。
【発明の効果】
【００１９】
請求項１記載の欄間パネル用金具を用いれば、かなりの幅と重さとを有する欄間パネルをずっと持っている必要がなく、一人ででも、高いところでの取付作業を極めて容易に行うことができる。
【００２０】
請求項２記載の欄間パネル用金具を用いても、かなりの幅と重さとを有する欄間パネルをずっと持っている必要がなく、一人ででも、高いところでの取付作業を極めて容易に行うことができる。
【００２１】
請求項３記載の欄間パネル用金具を用いれば、枠体内に開閉可能に設けられるドアの上方における枠体の少なくとも左右の縦枠の正規の位置に、一対の固定ガイド部材を取り付け、最終的な位置の固定を行うことができる。
【００２２】
請求項４記載の発明によれば、かなりの幅と重さとを有する欄間パネルを極めて容易に取り付けることができ、特に、一人ででも、高いところでの取付作業を極めて容易に行うことができるので、工事代が安価で済むだけでなく、安価な欄間パネル構造を容易に提供できる。
【００２３】
請求項５記載の発明においても、かなりの幅と重さとを有する欄間パネルを極めて容易に取り付けることができ、特に、一人ででも、高いところでの取付作業を極めて容易に行うことができるので、工事代がかからないだけでなく、安価な欄間パネル構造を容易に提供できる。
【００２４】
請求項６記載の欄間パネル取付方法を採用すれば、かなりの幅と重さとを有する欄間パネルを極めて容易に取り付けることができ、特に、一人ででも、高いところでの取付作業を極めて容易に行うことができる。
【００２５】
請求項７記載の欄間パネル取付方法を採用しても、かなりの幅と重さとを有する欄間パネルを極めて容易に取り付けることができ、特に、一人ででも、高いところでの取付作業を極めて容易に行うことができる。
【図面の簡単な説明】
【００２６】
【図１】本発明による欄間パネル用金具の一例を示す一部切欠の側面図である。
【図２】本発明による欄間パネル構造の一例を示す概略図で、(a)は正面図、(b)は側面図である。
【図３】本発明による欄間パネル用金具により欄間に取り付けられた欄間パネル構造を示す拡大側面図である。
【図４】本発明による欄間パネルを欄間に取り付ける方法の一例を工程順に示す側面図である。
【図５】本発明による欄間パネル用金具の仮止手段と、その変形例を示す概略図で、(a)は仮止手段としてのビスと専用パーツを、(b)は仮止手段としてのプレートを、(c)は仮止手段としてのブラケットを、(d)は仮止手段の一方の取付位置を、(e)は仮止手段による仮止め状況を、(f)〜(i)は別の仮止手段による仮止め状況をそれぞれ示す。
【図６】仮止手段の２つの例を示す図で、(a)は、仮止手段の１つが縦枠と上枠に取り付けられた場合と、その場合の仮止手段のもう１つのプレートとを、(b)は、仮止手段の１つが縦枠と無目（枠材）に取り付けられた場合と、その場合の仮止手段のもう１つのプレートとを示す。
【図７】仮止手段の変形例を示す図で、(a)は、仮止手段の１つを欄間パネル側に取り付け、これを縦枠側に取り付けたもう１つの仮止手段に係合させる場合を、(b)は、縦枠側に取り付けるもう１つの仮止手段の変形例を、(c)は、欄間パネル用金具の支持部材に欄間パネルを仮止めする場合の変形例を、(d)は、(a)の場合のさらなる変形例を、(e)は、縦枠側に取り付けるもう１つの仮止手段の変形例を、(f)は、(a)の場合のさらなる変形例を、(g)、(h)は、仮止手段の１つであるプレートのさらなる変形例を示す。
【図８】本発明による欄間パネル用金具の支持アームの仮固定方法を示す側面図で、(a)は凹凸嵌合による場合を、(b)は着脱自在の嵌合部材を用いた場合を、(c)は粘着材料を用いた場合を示す。
【発明を実施するための形態】
【００２７】
本発明による欄間パネル用金具及びこの金具により欄間に取り付けられた欄間パネル構造、ならびに、この欄間パネルを欄間に取り付ける方法のそれぞれの一例と、その変形例とを、図面に基づいて詳細に説明する。
【００２８】
本発明による欄間パネル用金具１とは、図２に示すように、建物内の躯体Ａに設置される枠体Ｂ内に、開閉可能に設けられるドアＣの上方において、前記枠体Ｂ内に欄間パネルＤを開閉可能に配置させるために用いるものである。
この欄間パネル用金具１は、基本的には、前記枠体Ｂの少なくとも左右の縦枠ｂ１，ｂ１に取り付け得る左右一対の固定ガイド部材２，２と、この一対の固定ガイド部材２，２の少なくとも一方に長手方向の一端側が枢支された支持アーム３と、この支持アーム３の他端側が枢支されていて前記欄間パネルＤの両端を支持するための左右一対の支持部材４，４とからなっている。
なお、支持アーム３は左右一対の固定ガイド部材２，２及び支持部材４，４に対して１本でもよいが、力のバランスを考えれば左右に２本配置するのが好ましい。
【００２９】
左右一対の支持部材４，４の上隅部分には係合ピン４ａ，４ａが設けられ、各係合ピン４ａ，４ａは左右一対の固定ガイド部材２，２に形成されているガイド溝２ａ，２ａに係合させてある。ガイド溝２ａ，２ａは、図１に示すように、ほぼ垂直な部分とこれに連続して上に行くに従って奥（図１の左側）に食い込む形状をしており、前記係合ピン４ａ，４ａがガイド溝２ａ，２ａの下端にある場合には、前記支持アーム３，３を介して前記支持部材４，４が開いた状態に、前記係合ピン４ａ，４ａがガイド溝２ａ，２ａの上端にある場合には、前記支持アーム３，３を介して前記支持部材４，４が起きて閉じた垂直の状態に位置させることができる。
したがって、建物内の躯体Ａに設置される枠体Ｂ内に開閉可能に設けられるドアＣの上方において、前記支持部材４，４に側面が取り付けられている欄間パネルＤを開閉可能に配置させることができる。
【００３０】
前記欄間パネルＤを取り付けた前記一対の固定ガイド部材２，２を、前記枠体Ｂの少なくとも左右の縦枠ｂ１，ｂ１に仮固定させるための仮止め手段が設けられている。本来、前記一対の固定ガイド部材２，２は前記左右の縦枠ｂ１，ｂ１に固定されるが、この固定ガイド部材２，２に対して支持アーム３，３、支持部材４，４が上述したように連関しているので、前記一対の固定ガイド部材２，２を前記左右の縦枠ｂ１，ｂ１に固定した後、前記支持部材４，４に１枚の欄間パネルＤの両側面を固定しても良いが、欄間パネルＤはかなりの幅と重さとを有する１枚ものであるから、一人では到底施工できず、二人以上での作業になっていた。
【００３１】
ところが、近年、工場等において前記支持部材４，４に１枚の欄間パネルＤの両側面を予め固定しておき、この組み上がったものを施工現場に持ち込んで作業能率を向上させるようになって来た。
そこで、この組み上がったものを施工現場に持ち込んで前記左右の縦枠ｂ１，ｂ１に固定する作業を一人で行うことができるようになれば、工事代その他様々な面で有利である。
そのために、本発明においては、前記枠体Ｂの左右の縦枠ｂ１，ｂ１と欄間パネルＤとそれを前記枠体Ｂの左右の縦枠ｂ１，ｂ１に取り付けるための金具１とのいずれかを、他の部材に対して一旦仮止めすることができるようにしてある。この仮止め手段を設けたことにより、かなりの幅と重さとを有する欄間パネルを極めて容易に取り付けることができ、特に、一人ででも、高いところでの取付作業を比較的容易に行うことができる。
【００３２】
この仮止め手段として、様々なものが考えられるので、それらについて以下詳細に説明する。その一つは、前記欄間パネルＤを取り付けた前記一対の固定ガイド部材２，２を、前記枠体Ｂの少なくとも左右の縦枠ｂ１，ｂ１に仮固定させる場合である。
この場合においては、例えば、前記左右の縦枠ｂ１，ｂ１側に仮止め手段の１つである部材を、そして、前記一対の固定ガイド部材２，２側に仮止め手段のもう一方の部材を、取り付ける。
【００３３】
前記左右の縦枠ｂ１，ｂ１側に設けられる仮止め手段の１つである部材とは、例えば、図５(a)に示す４種類のビス５で、１つ目に示すトラスビス、２つ目に示す低頭ビスなどがあるが、ビス頭（抜け止め用の突起形状）を有する市販のビスはほとんど使用する事ができる。また、市販のビスではなくて様々な形状のものが考えられるが、３つ目に示すような仮止め手段専用パーツとしてのビス、４つ目に示すような引掛り抜け防止機能を有する仮止め手段専用ビスなどを挙げることができる。
これらのビスは、仮固定専用のものとして使用することができるだけでなく、本固定用にも兼用できる。このように、仮固定のためにビスを用いた場合には、それらを全て本固定用に兼用できる。
なお、前記左右の縦枠ｂ１，ｂ１には、このようなビス５を取り付けるための下穴を工場であらかじめ開けておくと良い。
図示したビスの他にも、本固定はできないが仮止め手段としてピン（図示しない）を用い、このピンを嵌合する方式を採用することもできる。
【００３４】
また、このビス５に代わるものとして、図５(b)に示す上下２つの突起６ａ、６ａを有する縦長状のプレート６や、図５(c)に示す上下２つの係合爪７ａ、７ａを有する縦長状のブラケット７を挙げることができる。なお、プレート６やブラケット７は、金属製でも樹脂製でも良い。
なお、前記左右の縦枠ｂ１，ｂ１には、これらのプレート６やブラケット７を工場であらかじめ取り付けておいても良い。
【００３５】
一方、前記左右一対の固定ガイド部材２，２側に設けられる仮止め手段のもう一方の部材とは、例えば、図１、図５(b)、(c)に示すように、前記ビス５、突起６ａ、係合爪７ａに係合させ得る係合溝８，９や係合孔１０を挙げることができる。
例えば、係合溝８には、前記左右の縦枠ｂ１，ｂ１に仮固定したビス５，５を係合させることにより、仮固定できる。また、係合溝９には、前記左右の縦枠ｂ１，ｂ１に固定したプレート６の突起６ａを、係合孔１０には、前記左右の縦枠ｂ１，ｂ１に固定したプレート７の係合爪７ａを係合させることにより、仮固定できる。
【００３６】
したがって、例えば、上下２つのビス５，５と上下２つの係合溝８，８とからなる仮止め手段を用いた場合の作業について説明すると、まず、前記左右の縦枠ｂ１，ｂ１には、上下２つのビス５，５を取り付けるための下穴を工場であらかじめ開けておき、施工者が現場にて建物内の躯体Ａの所定位置に前記左右の縦枠ｂ１，ｂ１を取り付け、これらに開けられている上下２つの下穴に図４(a)に示すようにビス５，５を仮固定し、これらのビス５，５に左右一対の固定ガイド部材２，２の上下２つの係合溝８，８をそれぞれ係合させると良い。そして、施工者が現場にて前記左右一対の固定ガイド部材２，２に枢着されている支持部材４，４に欄間パネルＤの両側面を固定すれば良い。
なお、工場で前記支持部材４，４に１枚の欄間パネルＤの両側面をあらかじめ固定しておいても良く、この場合には現場での上記欄間パネルＤの取付作業を省略できる。
【００３７】
次に、図４(b)に示すように、前記支持アーム３を介して前記一対の固定ガイド部材２，２に対して左右一対の支持部材４，４を倒伏させた状態で、すなわち、前記一対の固定ガイド部材２，２と前記一対の支持部材４，４に取り付けられている欄間パネルＤとが、同図矢印で示す角度を有して開いている状態で、図４(c)に示すように、前記左右の縦枠ｂ１，ｂ１に仮固定された上下２つのビス５，５のうち下側のビス５に、前記支持部材４，４の下側の係合溝８をそれぞれ係合させる。そして、図４(d)の矢印で示すように、下側のビス５，５を中心に左右一対の固定ガイド部材２，２を順次起して行く。
すると、図４(e)とその一部を拡大して示すように、上側の係合溝８の始端部から順次係合して行き、やがて前記左右の縦枠ｂ１，ｂ１に仮固定された上下２つのビス５，５のうち上側のビス５，５に、前記支持部材４，４の上側の係合溝８，８の折曲部分付近がそれぞれ係合するに至る。
【００３８】
そして、下側のビス５，５を中心に左右一対の固定ガイド部材２，２を垂直状態になるまで起すと、欄間パネルＤの自重で左右一対の固定ガイド部材２，２が仮固定位置まで下がり、前記上側の係合溝８，８の終端部分が下側のビス５，５に係合する。
かくして、上下２つのビス５，５と上下２つの係合溝８，８とからなる仮止め手段を用いることにより、建物内の躯体Ａに設置される枠体Ｂ内に開閉可能に設けられるドアＣの上方において、前記支持部材４，４に側面が取り付けられている欄間パネルＤを仮固定（仮止め）することができる。
したがって、建物内の躯体Ａに設置される枠体Ｂの左右の縦枠ｂ１，ｂ１に欄間パネルＤを取り付けるに当って、上下２つのビス５，５と上下２つの係合溝８，８とからなる仮止め手段を設けたことにより、かなりの幅と重さとを有する欄間パネルＤをずっと持っている必要がなく、極めて容易に取り付けることができ、特に、一人ででも、高いところでの取付作業を極めて容易に行うことができる。
【００３９】
上下２つの突起６ａ，６ａと上下２つの係合溝９，９とからなる仮止め手段の場合でも、また、上下２つの係合爪７ａ，７ａと上下２つの係合孔１０，１０とからなる仮止め手段の場合でも、上下２つのビス５，５と上下２つの係合溝８，８とからなる仮止め手段を設けた場合と同様の要領で、一人ででも、高いところでの取付作業を極めて容易に行うことができる。
この場合において、上下２つのビス５，５に代わるものが上下２つの突起６ａ，６ａ、あるいは係合爪７ａ，７ａであり、上下２つの係合溝８，８に代わるものが上下２つの係合溝９，９、あるいは上下２つの係合孔１０，１０であり、それぞれの関係については上で説明した場合と同様であるから、ここでは詳細な説明を省略する。
【００４０】
前記左右の縦枠ｂ１，ｂ１側に設けられる仮止め手段であるビス５、突起６ａ、あるいは係合爪７ａについては、図５(d)に示すように、左右の縦枠ｂ１，ｂ１に対して１つの場合でも、また、上下２つの場合でも良い。
【００４１】
係合溝については、図５(e)の左側に示すように上下２つでも、また、同図右側に示すように１つでも良い。また、引っ掛け方については、図５(e)に示すように、差込んだら落とし込むことができるように、係合溝の途中から折曲して終端が窪む形状にしておいても良いし、図５(f)に示すように、下側の係合溝を下側のビスに係合させ、このビスを軸にして起すと、上側の係合溝を上側のビスに係合させ得るようにしても良い。
なお、上側のビスについては、左右のうち片側だけでも良い。
【００４２】
また、突起６ａについては、図５(b)に示すように丸い形状をしていても良いし、また、係合爪７ａについては、図５(c)及び図５(g)に示すように側面Ｌ字形で正面方形状にしても良い。
【００４３】
また、プレート６、ブラケット７については、前記突起６ａ、係合爪７ａに代えて図５(h)に示すようにその途中を一定長さで突出させ、相手側である固定ガイド部材２には、前記突出部における突出段部６ｂ、７ｂに係合させ得る切欠２ｂを形成しても良い。なお、両者の係合状態を、図５(h)の右端に示す。
【００４４】
さらに、プレート６、ブラケット７については、図５(i)に示すように、プレート６、ブラケット７の下端を横Ｌ字状に折曲し、相手側である固定ガイド部材２の下端には、この横Ｌ字状に折曲した折曲部の溝６ｃ、７ｃに差し込み得る爪ないし突起２ｃを形成しても良い。なお、両者の係合状態を、図５(i)の右端に示す。
【００４５】
一方、仮止め手段の１つであるビス５については、枠体Ｂの左右の縦枠ｂ１，ｂ１側に設けるのに代えて、図６(a)に示すように、枠体Ｂの左右の縦枠ｂ１，ｂ１と両縦枠ｂ１，ｂ１間の上側に配置される横枠ｂ２とに設けても良く、また、図６(b)に示すように、枠体Ｂの左右の縦枠ｂ１，ｂ１と前記ドアＣの上側であって両縦枠ｂ１，ｂ１間に配置される無目と称する横方向の枠材ｂ３とに設けても良い。
【００４６】
前者の場合、すなわち、２つのビス５，５を枠体Ｂの左右の縦枠ｂ１，ｂ１と横枠ｂ２とに設けた場合においては、相手側である固定ガイド部材２を図６(a)に示すような形状のものとし、上側を水平状に折曲した水平部材と垂直方向の部材とに係合溝８，８を設けておけば良い。
そして、側面から見た図である図６(c)に示すように、左右一対の固定ガイド部材２，２の下側の係合溝８，８を両縦枠ｂ１，ｂ１に設けたビス５，５に係合させ、両ビス５，５を軸に起す。
すると、上から見た図６(d)の左端の状態から、同図の中央の上側に示すように、左右一対の固定ガイド部材２，２の水平方向の部材にそれぞれ形成した係合溝８，８を前記横枠ｂ２に設けたビス５，５に係合させることができる。この途中の状態では、同図の中央の下側に示すように、左右一対の固定ガイド部材２，２の垂直方向の部材が撓むが、同図右端の上側に示すように、係合溝８，８の終端にビス５，５が来た仮固定状態になると、同図右端の下側に示すように、元の状態に戻り、仮固定（仮止め）状態となる。
【００４７】
また、後者の場合、すなわち、２つのビス５，５を枠体Ｂの左右の縦枠ｂ１，ｂ１と無目と称する枠材ｂ３とに設けた場合においては、相手側である固定ガイド部材２を図６(b)に示すような形状のものとし、垂直方向の部材の上側と水平状に折曲した下側の水平部材とに係合溝８，８を設けておけば良い。
そして、側面から見た図である図６(e)に示すように、左右一対の固定ガイド部材２，２の下側の係合溝８，８を横方向の枠材ｂ３に設けたビス５，５にそれぞれ係合させ、そのまま起す。
すると、図６(e)の左から２番目に示すように、左右一対の固定ガイド部材２，２の垂直方向の部材の上側に形成された係合溝８，８が枠体Ｂの左右の縦枠ｂ１，ｂ１に設けたビス５，５に引っ掛かり、さらにその右に示すように、順次係合溝８，８の奥にビス５，５がそれぞれ係合し、最終的に左右一対の固定ガイド部材２，２が下がって前記枠材ｂ３に乗り、仮固定（仮止め）状態となる。
【００４８】
上述した場合においては、支持部材４，４に欄間パネルＤの端面を取り付けた一対の固定ガイド部材２，２を、枠体Ｂの少なくとも左右の縦枠ｂ１，ｂ１に仮固定させる場合について説明したが、この場合とは逆に、すなわち、枠体Ｂの少なくとも左右の縦枠ｂ１，ｂ１に左右一対の固定ガイド部材２，２を取り付けておき、取り付けられた左右一対の固定ガイド部材２，２に軸支されている支持部材４，４に、１枚の欄間パネルＤを仮固定（仮止め）させる場合にも本発明を適用することができる。
【００４９】
この場合においては、前記枠体Ｂの少なくとも左右の縦枠ｂ１，ｂ１の所定位置に、ボルト等の締付具（図示しない）を用いて左右一対の固定ガイド部材２，２を取り付ける。左右一対の固定ガイド部材２，２に軸支されている支持部材４，４には、図７(a)の右側に示すように、仮止め手段の１つである上下２つの係合溝８’，８’が形成されている。
次いで、図７(a)の左側に示すように、欄間パネルＤの左右の端面にもう１つの仮止め手段である上下２つのビス５，５を取り付ける。
そして、同図矢印で示すように、上下２つの前記係合溝８’，８’に、欄間パネルＤの左右の端面に設けた上下２つのビス５，５を差込んで係合溝８’，８’の終端である垂直溝まで下げると、仮固定（仮止め）状態となる。しかる後、欄間パネルＤを開いた状態で、仮止め用に用いた上下２つのビス５，５をねじ込んで、前記支持部材４，４に欄間パネルＤを固定（本固定）する。
【００５０】
図７(a)においては、左右一対の固定ガイド部材２，２に軸支されている支持部材４，４に上下２つの係合溝８’，８’を形成したが、図７(b)に示すように、支持部材４の係合溝８’を１つとし、左右の支持部材４，４に形成されたこの係合溝８’に欄間パネルＤの左右の端面に設けたビス５を差込んでも良い。
この場合には、仮固定（仮止め）状態が少々揺れることも考えられるが、特に支障はない。そして、仮固定（仮止め）後、欄間パネルＤを開いた状態で、仮止め用に用いたビス５をねじ込んで、前記支持部材４，４に欄間パネルＤを固定（本固定）する。
なお、係合溝８’が１つの場合には、欄間パネルＤの左右の端面に設けるビス５については、前記係合溝８’に対応する位置に１つ設ければ良い。
【００５１】
一方、図７(a)、(b)では、支持部材４，４を垂直状態にして欄間パネルＤを取り付ける場合について説明したが、図７(c)に示すように、左右の縦枠ｂ１，ｂ１の所定位置に取り付けた左右一対の固定ガイド部材２，２に対して、支持部材４，４を支持アーム３，３を介して開いた状態とし、開かれた両支持部材４，４の上下２つの係合溝８’，８’に欄間パネルＤの左右の端面に設けたビス５，５を差込んで仮固定し、さらに、両ビス５，５をねじ込んで固定（本固定）しても良い。
【００５２】
また、突起６ａを有するプレート６や係合爪７ａを有するブラケット７を用いる場合においては、例えば、欄間パネルＤの両端面にブラケット７，７を取り付けた場合を例に挙げて説明すると、前記枠体Ｂの少なくとも左右の縦枠ｂ１，ｂ１の所定位置に、ボルト等の締付具（図示しない）を用いて左右一対の固定ガイド部材２，２を取り付ける。左右一対の固定ガイド部材２，２に軸支されている支持部材４，４には、図７(d)の右側に示すように、仮止め手段の１つである上下２つの係合溝８”，８”が形成されている。
次いで、図７(d)の左側に示すように、欄間パネルＤの左右の端面にもう１つの仮止め手段であるブラケット７，７を取り付ける。
そして、同図矢印で示すように、上下２つの前記係合溝８”，８”に、欄間パネルＤの左右の端面に取り付けた設けたブラケット７，７の上下２つの係合爪７ａ，７ａを差込んで係合溝８”，８”の爪受けまで下げると、仮固定（仮止め）状態となる。しかる後、前記上下２つの係合爪７ａ，７ａと前記上下２つの係合溝８”，８”とを固定(本固定)する。
この場合の本固定については、上下２つの係合爪７ａ，７ａにネジ孔（図示しない）を形成しておき、支持部材４，４に形成しておいたビス挿通用の孔を経て前記ネジ孔に本固定用のビス（図示しない）をねじ込むか、あるいは、前記上下２つの係合爪７ａ，７ａに本固定用の部材(図示しない)を係合させることにより、欄間パネルＤと支持部材４，４とを固定(本固定)することができる。
【００５３】
図７(d)においては、左右一対の固定ガイド部材２，２の支持部材４，４に上下２つの係合溝８”，８”を形成したが、図７(e)に示すように、支持部材４の係合溝８”を１つとし、左右の支持部材４，４に形成されたこの係合溝８”に欄間パネルＤの左右の端面に設けたブラケット７の係合爪７ａを差込んでも良い。
この場合には、仮固定（仮止め）状態が少々揺れることも考えられるが、特に支障はない。この場合の本固定についても、前記係合爪７ａにネジ孔（図示しない）を形成しておき、支持部材４，４に形成しておいたビス挿通用の孔を経て前記ネジ孔に本固定用のビス（図示しない）をねじ込むか、あるいは、前記係合爪７ａに本固定用の部材(図示しない)を係合させることにより、欄間パネルＤと支持部材４，４とを固定(本固定)することができる。
なお、係合溝８”が１つの場合には、欄間パネルＤの左右の端面に設けるブラケット７の係合爪７ａについては、前記係合溝８”に対応する位置に１つ設ければ良い。
【００５４】
一方、図７(d)、(e)では、支持部材４，４を垂直状態にして欄間パネルＤを取り付ける場合について説明したが、図７(f)に示すように、左右の縦枠ｂ１，ｂ１の所定位置に取り付けた左右一対の固定ガイド部材２，２に対して、支持部材４，４を支持アーム３，３を介して開いた状態とし、開かれた両支持部材４，４の上下２つの係合溝８”，８”に欄間パネルＤの左右の端面に設けた係合爪７ａ，７ａを差込むようにしても良い。
【００５５】
また、プレート６、ブラケット７については、図７(g)に示すように、突起６ａや係合爪７ａに代えてその途中を一定長さで突出させ、相手側である支持部材４については、前記突出部における突出段部６ｂ、７ｂに係合させ得る上下２つの切欠４ｃ，４ｃを形成し、支持部材４，４の各切欠４ｃ，４ｃに欄間パネルＤの両端面に取り付けたプレート６やブラケット７の突出段部６ｂ、７ｂを係合させても良い。なお、両者の係合状態を、図７(g)の左端に示す。
【００５６】
さらに、プレート６、ブラケット７については、図７(h)に示すように、プレート６、ブラケット７の下端に爪ないし突起６ｄ，７ｄを形成し、相手側である支持部材４，４の下端を横Ｌ字状に折曲し、横Ｌ字状に折曲したこの折曲部の溝４ｅに前記爪ないし突起２ｃを差込んでも良い。なお、両者の係合状態を、図７(h)の左端に示す。
【００５７】
また、支持部材４，４に欄間パネルＤを取り付けるに当って、支持アーム３を支持部材４，４に対して仮固定させ得るようにしておくと良い。このようにすることができれば、欄間パネルＤの取付作業時において、欄間パネルＤを開いた状態に保持できるので、前記取付作業に極めて有利である。
この具体的手段を例示すると、図８(a)に示すように、支持部材４，４に係合孔４ｄを形成する一方、支持アーム３に係合突起３ａを形成し、前記係合孔４ｄに前記係合突起３ａを嵌合させる場合を挙げることができる。また、図８(b)に示すように、着脱可能な嵌合部材１１を用いて支持アーム３を仮固定させても良い。さらに、図８(c)に示すように、支持アーム３と支持部材４とに跨って粘着材料１２を貼着し、両者を仮固定させても良い。
【００５８】
上述した欄間パネル用金具１を用いれば、上述したように、欄間パネルＤを取り付けた左右一対の固定ガイド部材２，２を、枠体Ｂの少なくとも左右の縦枠ｂ１，ｂ１に仮固定させることができる。また、上述した欄間パネル用金具１を用いれば、上述したように、枠体Ｂの少なくとも左右の縦枠ｂ１，ｂ１に取り付けた一対の固定ガイド部材２，２に軸支されている支持部材４，４に、欄間パネルＤを仮固定させることができる。
したがって、かなりの幅と重さとを有する欄間パネルＤをずっと持っている必要がなく、極めて容易に取り付けることができ、特に、一人ででも、高いところでの取付作業を極めて容易に行うことができる。
【００５９】
ここには、本固定後の左右一対の固定ガイド部材２，２を、枠体Ｂの少なくとも左右の縦枠ｂ１，ｂ１に位置固定するための手段をさらに備えている場合を例示する。
この位置固定手段としては、例えば、左右一対の固定ガイド部材２，２に形成した孔２ｄ（図１参照）と、この孔２ｄに挿通するボルト等の締付具１３（図３参照）とからなる場合を挙げることができる。そして、枠体Ｂの少なくとも左右の縦枠ｂ１，ｂ１に固定された左右一対の固定ガイド部材２，２の孔２ｄに、前記締付具１３をねじ込んで最終的な位置の固定を行えば良い。なお、図３においては、上下２本のビス５，５と本固定手段としての締付具１３を便宜上鎖線で示す。
なお、図２(b)及び図３において、符号Ｅは戸当たりである。
【００６０】
一方、上述した欄間パネル用金具１を用いれば、上述したように、建物内の躯体Ａに設置される枠体Ｂ内に開閉可能に設けられるドアＣの上方において、欄間パネルＤを取り付けた左右一対の固定ガイド部材２，２が、前記仮止め手段により前記枠体Ｂの少なくとも左右の縦枠ｂ１，ｂ１に仮固定され、仮固定後の前記左右一対の固定ガイド部材２，２が前記枠体Ｂの少なくとも左右の縦枠ｂ１，ｂ１に本固定された欄間パネル構造とすることができる。
【００６１】
また、上述した欄間パネル用金具１を用いれば、上述したように、建物内の躯体Ａに設置される枠体Ｂ内に開閉可能に設けられるドアＣの上方において、前記枠体Ｂの少なくとも左右の縦枠ｂ１，ｂ１に左右一対の固定ガイド部材２，２を取り付け、この左右一対の固定ガイド部材２，２に軸支されている支持部材４，４に、前記仮止め手段により前記欄間パネルＤが仮固定され、仮固定後の前記欄間パネルＤと前記支持部材４，４とが本固定された欄間パネル構造とすることができる。
【００６２】
このような仮固定により、かなりの幅と重さとを有する欄間パネルＤを極めて容易に取り付けることができ、特に、一人ででも、高いところでの取付作業を極めて容易に行うことができるので、工事代が安価で済むだけでなく、安価な欄間パネル構造を容易に提供できる。
【００６３】
さらに、上述した欄間パネル用金具１を用いれば、上述したように、建物内の躯体Ａに設置される枠体Ｂ内に開閉可能に設けられるドアＣの上方において、欄間パネルＤを取り付けた左右一対の固定ガイド部材２，２を、前記枠体Ｂの少なくとも左右の縦枠ｂ１，ｂ１に仮固定し、しかる後、仮固定された前記左右一対の固定ガイド部材２，２を前記枠体Ｂの少なくとも左右の縦枠ｂ１，ｂ１に本固定することにより、欄間パネルＤを欄間に取り付けることができる。
【００６４】
また、建物内の躯体Ａに設置される枠体Ｂ内に開閉可能に設けられるドアＣの上方において、前記枠体Ｂの少なくとも左右の縦枠ｂ１，ｂ１に左右一対の固定ガイド部材２，２を取り付け、この左右一対の固定ガイド部材２，２に軸支されている支持部材４，４に、欄間パネルＤを仮固定し、しかる後、仮固定された欄間パネルＤと前記支持部材４，４とを本固定することにより、欄間パネルＤを欄間に取り付けることができる。
【００６５】
このような欄間パネル取付方法を採用することにより、かなりの幅と重さとを有する欄間パネルＤを極めて容易に取り付けることができ、特に、一人ででも、高いところでの取付作業を極めて容易に行うことができる。
【００６６】
ここでは、左右一対の固定ガイド部材２，２を左右両側において、前記枠体Ｂの少なくとも左右の縦枠ｂ１，ｂ１にそれぞれ仮固定し、また、欄間パネルＤの左右両側を左右一対の支持部材４，４にそれぞれ仮固定した場合について説明したが、仮固定は左右のうち一方のみでも良い。
【産業上の利用可能性】
【００６７】
ここでは、左右一対の固定ガイド部材２，２に縦長状のガイド溝２ａ，２ａを形成し、欄間パネルＤを支持する支持部材４，４の係合ピン４ａ，４ａが、前記ガイド溝２ａ，２ａの上端に位置しているとき前記支持部材４，４ならびにこれらに支持されている欄間パネルＤが閉じた状態にあり、前記支持部材４，４ならびにこれらに支持されている欄間パネルＤが順次開いて行くに従って、前記係合ピン４ａ，４ａが縦長状のガイド溝２ａ，２ａ内を滑動してその位置を変え、前記係合ピン４ａ，４ａが縦長状のガイド溝２ａ，２ａの下端に位置したとき、前記支持部材４，４ならびにこれらに支持されている欄間パネルＤが完全に開いた状態になり、しかも、当該支持部材４，４ならびにこれらに支持されている欄間パネルＤは、外側に開く形式のものを例に挙げて本発明を説明したが、例えば、前記係合ピンのような枢軸が定位置にあって当該枢軸を中心として支持部材ならびにこれらに支持されている欄間パネルが単に開閉する形式のもの（支持部材ならびにこれらに支持されている欄間パネルに対し、枢軸が上端に位置する場合、ほぼ中央に位置する場合、下端に位置する場合の全てを含む）にも適用可能であり、さらに、内・外いずれの方向にも開くことができる形式のものにも、本発明を適用することができる。
【符号の説明】
【００６８】
１…欄間パネル用金具、２…固定ガイド部材、２ａ…ガイド溝、２ｂ…切欠、２ｃ…爪ないし突起、２ｄ…孔、３…支持アーム、３ａ…係合突起、４…支持部材、４ａ…係合ピン、４ｃ…切欠、４ｄ…係合孔、５…ビス、６…プレート、６ａ…突起、６ｂ…突出段部、６ｃ…溝、６ｄ…爪ないし突起、７…ブラケット、７ａ…係合爪、７ｂ…突出段部、７ｃ…溝、７ｄ…爪ないし突起、８，８’，８”，９…係合溝、１０…係合孔、１１…嵌合部材、Ａ…躯体、Ｂ…枠体、ｂ１…縦枠、ｂ２…横枠、ｂ３…枠材、Ｃ…ドア、Ｄ…欄間パネル。
【図１】
2012036581.tif 000003
【図２】
2012036581.tif 000004
【図３】
2012036581.tif 000005
【図４】
2012036581.tif 000006
【図５】
2012036581.tif 000007
【図６】
2012036581.tif 000008
【図７】
2012036581.tif 000009
【図８】
2012036581.tif 000010